(57)【要約】      （修正有）【課題】既設構造物の直下やその周囲における地盤改良の工事において、所定深度から地盤表面までに造成される固結体を確実に早期に硬化させて所望の強度になるようにした高圧噴射系地盤改良工法を提供する。【解決手段】地盤中の硬化前の固結体の一部を試料採取器１０によって採取し、この試料採取器１０で採取した硬化前の固結体に基づいて施工場所にて実施する簡易配合試験によって硬化促進剤の添加量を決定すると共に、管ロッド５を地盤中の所定深度まで挿入して、この管ロッド５から簡易配合試験によって決定した添加量の硬化促進剤を、所定深度から地盤表面までの地盤中に造成している硬化前の固結体に噴射して添加することにより、地盤中の所定深度から地盤表面までに造成される固結体を早期に硬化するようにした既設構造物直下やその周囲の地盤における高圧噴射系地盤改良工法である。【選択図】図６
2010236192.tif 000002
【特許請求の範囲】
【請求項１】
既設構造物直下やその周囲の地盤中に挿入した管ロッドから高圧ジェット水を噴射し、この高圧ジェット水により地盤を切削して行くと共に、この高圧ジェット水によって切削された場所に管ロッドの先端から硬化材を噴射して、硬化材を充填することにより地盤中に固結体を造成する地盤改良工法において、
地盤中の硬化前の固結体の一部を試料採取器によって採取し、この試料採取器で採取した硬化前の固結体に基づいて施工場所にて実施する簡易配合試験によって硬化促進剤の添加量を決定すると共に、管ロッドを地盤中の所定深度まで挿入して、この管ロッドの先端から簡易配合試験によって決定した添加量の硬化促進剤を、所定深度から地盤表面までの地盤中に造成している硬化前の固結体に噴射して添加することにより、地盤中の所定深度から地盤表面までに造成される固結体を早期に硬化して、既設構造物を速やかに利用可能にしたことを特徴とする既設構造物直下やその周囲の地盤における高圧噴射系地盤改良工法。
【請求項２】
硬化促進剤の添加量を、試料採取器で採取した硬化前の固結体に基づいて施工場所にて実施する簡易配合試験によって決定することにより、この硬化促進剤の添加量の度合いを適正なものにして、要求品質を満たしつつ経済的に安価に、地盤中に固結体を造成できるようにしたことを特徴とする請求項１記載の既設構造物直下やその周囲の地盤における高圧噴射系地盤改良工法。
【請求項３】
前述の請求項１に記載した試料採取器にあっては、地盤中に挿入される管ロッドの先端に取り付けられて、すぐに硬化しない固結体の性質を利用することにより、地盤中の所定深度における硬化前の固結体を採取可能にすると共に、その上下に開閉蓋を備えた構造にしたことを特徴とする高圧噴射系地盤改良工法の試料採取器。
【発明の詳細な説明】
【技術分野】
【０００１】
本発明は、空港における滑走路や誘導路、自動車の通る道路、あるいは貯油槽施設や港湾施設などの既設構造物の直下やその周囲の地盤において、地震などにより引き起こされる液状化現象を防止するための地盤改良を行う既設構造物直下やその周囲の地盤における高圧噴射系地盤改良工法及びその試料採取器に関する。
【背景技術】
【０００２】
従来、空港における滑走路や誘導路などの既設構造物の直下やその周囲の地盤において、この地盤の液状化現象を防止するための高圧噴射系地盤改良工法の一例であるクロスジェット式高圧噴射系地盤改良工法としては、高圧噴射系地盤改良施工機械を用いて、図８に示すように、ケーシングパイプにて掘削した孔に三重管構造の管ロッド２１を挿入し、挿入後、この管ロッド２１を回転させつつ管ロッド２１を徐々に上方に引き抜きながらその先端の上下二段となる箇所から高圧ジェット水ｗｊを交差するように噴射して、この交差する２本の高圧ジェット水ｗｊにより地盤を破壊するように切削して行く。また、この交差する２本の高圧ジェット水ｗｊにあっては交差すなわち衝突した後はその地盤破壊エネルギーが急激に減少することにより地盤の切削がなくなり、これによって所望の大きさでの切削が行われる。そして、この高圧ジェット水ｗｊによって切削された場所に、管ロッド２１の先端からセメントミルクなどの硬化材ｓａを噴射して、ここに硬化材ｓａを充填することにより地盤中に円柱状の固結体Ｋを造成する。このように地盤中に所望の大きさの円柱状の固結体Ｋを造成して、地盤を強固なものにすることで、既設構造物直下やその周囲の地盤における液状化現象を防止する工法が知られていた。
【０００３】
また、このようなクロスジェット式高圧噴射系地盤改良工法としては、特開平８−４１８５９号公報にも同様のものが示されており、これも、地盤中に挿入した管ロッドから交差する２本の高圧ジェット水をｗｊ噴射して地盤を切削して行き、そこにセメントミルクなどの硬化材ｓａを噴射して充填し、地盤中に円柱状の固結体Ｋを造成するものである。
【０００４】
そして、このクロスジェット式高圧噴射系地盤改良工法を採用した空港における滑走路や誘導路などの既設構造物における地盤改良の工事では、飛行機の発着に支障が来さないように、日中の飛行機の発着時間帯を避けて、深夜から早朝にかけての決められた時間内での作業となっていたが、早朝の飛行機の発着に間に合わせるため、地盤中の固結体Ｋにあって所定深度Ａから地盤表面までに造成される固結体Ｋを早期に硬化させて所望の強度を有するようにしていた。
【０００５】
このクロスジェット式高圧噴射系地盤改良工法としては、図９（ａ）に示すように、まず、高圧噴射系地盤改良施工機械２２を配置すると共に、超高圧水ポンプ２３や空気圧縮機２４及びセメントプラント２５を配置する。そして、これらを用いて、地盤中に挿入した管ロッド２１から交差する２本の高圧ジェット水ｗｊを噴射して地盤を破壊するように切削して行くと共に、この切削された場所に、セメントプラント２５から供給されたセメントミルクなどの硬化材ｓａを管ロッド２１の先端から噴射して、ここに硬化材ｓａを充填して行くが、このとき、図９（ｂ）に示すように、所定深度Ａに達すると、図９（ｃ）に示すように、一旦管ロッド２１を引き抜いて、管ロッド２１内の硬化材ｓａを排出して内部を洗浄する。そして、図９（ｄ）に示すように、早期に硬化するように配合した早期硬化材ｓｓをセメントプラント２５から新たに管ロッド２１内に供給して、管ロッド２１を再び挿入し、所定深度Ａより、図９（ｅ）に示すように、この早期硬化材ｓｓを噴射して充填して行く。これにより、所定深度Ａから地盤表面までは早期硬化材ｓｓが充填されて、ここを早期に硬化させて、所望の強度を有する固結体Ｋを造成するようにしていた。なお、この固結体Ｋの造成において、通常、硬化材ｓａでは硬化して所望の強度になるまでが数日から三、四週間かかるものであるが、早期硬化材ｓｓでは数時間である。
【０００６】
また、硬化材ｓａや早期硬化材ｓｓにはセメントミルクに硬化促進剤などを配合しているが、特に、早期硬化材ｓｓでは、その硬化促進剤を配合する量が多量となるものである。なお、この硬化促進剤だけでは硬化の進行が一定になりにくいため、硬化促進剤と共に硬化遅延材も配合するが、これは極めて少量である。
【０００７】
一方、この早期硬化材ｓｓにおけるセメントミルクへの硬化促進剤の配合については、あらかじめ地盤を採取しておき、この採取した地盤を用いて事前に室内配合試験を行い、その室内配合試験の結果に基づいて硬化促進剤の量を決定していたが、このとき、実際の施工場所にて確実に早期硬化させるため、決定した硬化促進剤の量に安全率をかけるように、具体的には安全のため５割増しで硬化促進剤を配合するようにしていた。
【先行技術文献】
【特許文献】
【０００８】
【特許文献１】特開平８−４１８５９号公報
【発明の概要】
【発明が解決しようとする課題】
【０００９】
かかる従来の高圧噴射系地盤改良方法において使用する早期硬化材にあっては、実際の施工場所で確実に早期硬化させるため、室内配合試験よって決定した硬化促進剤の量に安全率をかけるようにして、極めて多量の硬化促進剤を配合する必要があった。しかしながら、この硬化促進剤は、セメントミルクなどと異なり非常に高価なものであったため、空港における滑走路や誘導路などの既設構造物における地盤改良の工事では、数百本から数千本の固結体を造成する必要があることから、その工費が膨大なものになってしまうという問題があった。
【００１０】
一方、この早期硬化材では、室内配合試験よって決定した硬化促進剤の量に安全率をかけるようにしてはいるものの、実際の施工場所での外気温、水温、地盤改良工事中の水量や地盤温度、改良後の地盤土質などの不確定要因によって、早期に硬化させることができない、要するに、所定深度から地盤表面までに造成される固結体が所望の強度にならないとう要求品質を満たさないといった問題があった。これは、室内配合試験よって決定した硬化促進剤の量に安全率をかけても、施工場所での不確定要因により、硬化促進剤の量が足りない場合があり、これにより、早期の硬化ができなくなるという問題が発生し、また逆に、硬化促進剤の量が多すぎる場合もあり、これにより、早期の硬化がさらに速くなると、今度はセメントプラント内や管ロッド内にて早期硬化材が硬化してしまい、作業が全くできなくなるという問題が発生していた。このため、空港における滑走路や誘導路などの既設構造物における地盤改良の工事では、深夜から早朝にかけての決められた時間内で作業を完了させることができなくなり、空港における飛行機の発着を止めてしまうといった極めて重大な事態を招くおそれがあった。
【００１１】
本発明は、かかる従来の問題に鑑み、既設構造物の直下やその周囲における地盤改良の工事において、非常に高価なものとなる硬化促進剤の使用量を極力減らして、工費が膨れ上がるのを抑えるようにすると共に、所定深度から地盤表面までに造成される固結体を確実に早期に硬化させて所望の強度になるようにすることで、地盤改良の工事を決められた時間内で問題なく行えるようにして、既設構造物、たとえば空港における滑走路や誘導路において、使用ができなくなるといった極めて重大な事態を招くのをなくすようにして、既設構造物を速やかに利用可能にした既設構造物直下やその周囲の地盤における高圧噴射系地盤改良工法及びその試料採取器を提供することを、その課題とする。
【課題を解決するための手段】
【００１２】
第一の発明は、既設構造物直下やその周囲の地盤中に挿入した管ロッドから高圧ジェット水を噴射し、この高圧ジェット水により地盤を切削して行くと共に、この高圧ジェット水によって切削された場所に管ロッドの先端から硬化材を噴射して、硬化材を充填することにより地盤中に固結体を造成する地盤改良工法において、地盤中の硬化前の固結体の一部を試料採取器によって採取し、この試料採取器で採取した硬化前の固結体に基づいて施工場所にて実施する簡易配合試験によって硬化促進剤の添加量を決定すると共に、管ロッドを地盤中の所定深度まで挿入して、この管ロッドの先端から簡易配合試験によって決定した添加量の硬化促進剤を、所定深度から地盤表面までの地盤中に造成している硬化前の固結体に噴射して添加することにより、地盤中の所定深度から地盤表面までに造成される固結体を早期に硬化して、既設構造物を速やかに利用可能にした既設構造物直下やその周囲の地盤における高圧噴射系地盤改良工法である。
【００１３】
第二の発明は、第一に発明において、硬化促進剤の添加量を、試料採取器で採取した硬化前の固結体に基づいて施工場所にて実施する簡易配合試験によって決定することにより、この硬化促進剤の添加量の度合いを適正なものにして、要求品質を満たしつつ経済的に安価に、地盤中に固結体を造成できるようにした既設構造物直下やその周囲の地盤における高圧噴射系地盤改良工法である。
【００１４】
第三の発明は、前述の第一の発明に記載した試料採取器にあっては、地盤中に挿入される管ロッドの先端に取り付けられて、すぐに硬化しない固結体の性質を利用することにより、地盤中の所定深度における硬化前の固結体を採取可能にすると共に、その上下に開閉蓋を備えた構造にした高圧噴射系地盤改良工法の試料採取器である。
【発明の効果】
【００１５】
本発明によれば、地盤中に固結体を造成する際、地盤中の硬化前の固結体の一部を試料採取器によって採取し、この採取した硬化前の固結体に基づいて施工場所にて実施する簡易配合試験によって硬化促進剤の添加量を決定することで、硬化促進剤の添加量を、実際の施工場所に応じた必要最小限となる最適な量にすることができ、これにより、非常に高価なものとなる硬化促進剤の使用量を減らして、この硬化促進剤の費用を少なくすることにより、工費を大幅に抑えることができる。
【００１６】
しかも、試料採取器で採取した地盤中の硬化前の固結体に基づいて施工場所にて実施する簡易配合試験によって硬化促進剤の添加量を決定するようにしたことから、実際の施工場所での不確定要因（外気温、水温、地盤改良工事中の水量や地盤温度、改良後の地盤土質など）も加味するようになり、硬化促進剤の量が多すぎたり、また逆に足りなかったりといったことがなく、常に最適な硬化促進剤の量にすることができる。これにより、地盤中の固結体において所定深度から地盤表面までに造成される固結体を確実に早期に硬化させて所望の強度になるようにすることができ、地盤改良の工事を決められた時間内で問題なく行えるようにして、既設構造物、たとえば空港における滑走路や誘導路を速やかに利用可能にすることにより、これらが使用できなくなるといった極めて重大な事態を招くのをなくすことができる。
【００１７】
また、試料採取器にあっては、その上下に開閉蓋を備えた構造にしたことにより、地盤中に造成した固結体の一部を採取する際、上下の両方が開閉蓋によって塞がれることで、試料採取器の内部にほかのものが一切混入しないようにすることができ、固結体を最良な状態で採取することができる。
【図面の簡単な説明】
【００１８】
【図１】本発明による既設構造物直下やその周囲の地盤における高圧噴射系地盤改良工法に用いる高圧噴射系地盤改良施工機械の正面図である。
【図２】本発明による既設構造物直下やその周囲の地盤における高圧噴射系地盤改良工法に用いる高圧噴射系地盤改良施工機械の側面図である。
【図３】本発明による既設構造物直下やその周囲の地盤における高圧噴射系地盤改良工法に用いる試料採取器の斜視図である。
【図４】本発明による既設構造物直下やその周囲の地盤における高圧噴射系地盤改良工法に用いる試料採取器の側面断面図である。
【図５】本発明による既設構造物直下やその周囲の地盤における高圧噴射系地盤改良工法に用いる他の試料採取器の斜視図である。
【図６】本発明による既設構造物直下やその周囲の地盤における高圧噴射系地盤改良工法を説明した工程図である。
【図７】本発明による既設構造物直下やその周囲の地盤における高圧噴射系地盤改良工法を説明した工程図である。
【図８】高圧噴射系地盤改良方法を説明する概略図である。
【図９】従来の既設構造物直下やその周囲の地盤における高圧噴射系地盤改良方工法を説明した工程図である。
【発明を実施するための形態】
【００１９】
本発明による既設構造物直下やその周囲の地盤における高圧噴射系地盤改良工法及びその試料採取器の一実施形態について説明する。なお、この一実施形態において、高圧噴射系地盤改良工法としてはクロスジェット式高圧噴射系地盤改良工法であるが、これに限定されるものではなく、ジェットグラウト式高圧噴射系地盤改良工法などの他のもので良い。また、既設構造物としては空港における滑走路や誘導路であるが、これらの場所に限定されるものではない。
【００２０】
まず、既設構造物直下やその周囲の地盤における高圧噴射系地盤改良工法に用いる高圧噴射系地盤改良施工機械、そして試料採取器について述べると、図１、図２に示すように、高圧噴射系地盤改良施工機械１としては、架台２の上に機械本体３を載置したもので、機械本体３には各種の動力源を備えていると共に、回転装置や推進装置なども備えており、この機械本体３によってケーシングパイプや三重管構造の管ロッド５を地盤に挿入して作業を行うようにしている。また、この高圧噴射系地盤改良施工機械１の架台２の下部には作業時に孔より噴出する排泥を取り込むようになる排泥受槽６も配置している。なお、図示していないが、この高圧噴射系地盤改良施工機械１の周囲にはセメントプラントを配置すると共に、超高圧水ポンプや空気圧縮機も配置している。
【００２１】
また、試料採取器１０としては、地盤に挿入する管ロッド５の先端に取り付けて、地盤中に造成している硬化前の固結体Ｋの一部を採取するものであって、図３、図４に示すように、内部に採取する固結体Ｋを収容可能とする上下両端が開口した円筒状のパイプ１１を備え、このパイプ１１の下端に内開き式（上方にのみ開く）の開閉蓋１２を取り付けると共に、パイプ１１の上端を一対の薄板状の板フレーム１３を介して吊り下げ用ロッド１４の下端に固着しており、この吊り下げ用ロッド１４が管ロッド５の先端に着脱自在に取り付けるようにしている。また、この試料採取器１０にあっては、パイプ１１の下端に内開き式の開閉蓋１２を取り付けているが、図５に示すように、この下端の開閉蓋１２と共に、パイプ１１の上部にも外開き式（上方にのみ開く）の開閉蓋１９を取り付け、要するに、パイプ１１の上下に開閉蓋１２，１９を備えた構造にしても良い。
【００２２】
次に、本発明による既設構造物直下やその周囲の地盤における高圧噴射系地盤改良工法について述べると、既設構造物である空港における滑走路や誘導路の地盤表面に高圧噴射系地盤改良施工機械１を配置すると共に、その周辺にセメントプラント１５を配置すると共に、超高圧水ポンプ１６や空気圧縮機１７も配置する。
【００２３】
そして、地盤に掘削した孔内に管ロッド５を挿入し、図６（ａ）に示すように、この管ロッド５から交差する２本の高圧ジェット水ｗｊを噴射して地盤を破壊するように切削して行くと共に、この切削された場所に、セメントプラント１５から供給されたセメントミルクなどの硬化材ｓａを管ロッド５の先端から噴射する。なお、この硬化材ｓａは、従来と同様、セメントミルクに硬化促進剤などを配合したものである。
【００２４】
そして、図６（ｂ）に示すように、管ロッド５を引き抜きながら、地盤を切削した場所全体に硬化材ｓａを噴射し、ここに硬化材ｓａを充填して、地盤中に下層深度方向から固結体Ｋを造成して行く。
【００２５】
次に、図６（ｃ）に示すように、引き抜いた管ロッド５の先端に試料採取器１０を取り付けて、この試料採取器１０を取り付けた管ロッド５を孔の内部に挿入する。
【００２６】
そして、図６（ｄ）に示すように、試料採取器１０を地盤中の固結体Ｋを早期に硬化させようとする箇所である所定深度Ａまで挿入して、この試料採取器１０によって地盤中の所定深度Ａにおける硬化前の固結体Ｋの一部を採取する。
【００２７】
この試料採取器１０による固結体Ｋの採取としては、管ロッド５によって試料採取器１０を挿入して行くと、試料採取器１０のパイプ１１の下端の開閉蓋１２が上方に開いた状態となり、ここからパイプ１１の内部にまだ硬化前の固結体Ｋが下方より進入すると共に、内部に入った固結体Ｋがパイプ１１の上方から外に抜けるようになっている。そして、管ロッド５による試料採取器１０の挿入を停止し、今度はこれを上方に引き抜くと、このとき、試料採取器１０のパイプ１１の下端の開閉蓋１２が閉じて、パイプ１１の内部に硬化前の固結体Ｋを収容した状態で、上方に引き抜くことができ、これにより、所望位置の硬化前の固結体Ｋを採取できるようにしている。なお、この試料採取器１０において、パイプ１１の上部にも外開き式の開閉蓋１９を取り付けると、この開閉蓋１９によって、上方に引き抜くとき、上部も塞がれることで、ほかのものを一切混入させることなく、所望位置の硬化前の固結体Ｋのみを採取することができる。
【００２８】
そして、この試料採取器１０で採取した硬化前の固結体Ｋに基づいて硬化促進剤ｘの添加量を決定する。この硬化促進剤ｘの添加量は、施工場所にて実施する簡易配合試験によって決定するものである。
【００２９】
この簡易配合試験としては、あらかじめ採取した地盤を用いて事前に室内配合試験を行い、その室内配合試験の結果に基づいて決定した早期硬化材ｓｓにおけるセメントミルクに配合する硬化促進剤の量に相当するものを標準促進タイプとすると共に、この標準促進タイプに対し硬化促進剤の量を増やした（安全率をかけたものと同等）ものを高促進タイプとし、逆に、標準タイプに対し硬化促進剤の量を減らしたものを低促進タイプとして、このような硬化促進剤の量を異ならせた三つのタイプを用意する。そして、この三つのタイプ（標準促進タイプ・高促進タイプ・低促進タイプ）を、試料採取器１０にて採取した硬化前の固結体Ｋに添加して所定時間後に確実に硬化するかを確認する試験である。そして、確実に硬化する中で、硬化促進剤の量が最も少ないタイプを選択する。この選択したタイプの硬化促進剤の量が簡易配合試験によって決定する硬化促進剤ｘの添加量である。
【００３０】
なお、前述した簡易配合試験では、標準促進タイプと高促進タイプと低促進タイプの三つのタイプを用意するようにしていたが、これに限定するものではなく、さらに複数のタイプを用意して試験を行うようにしても良い。また、一回目の試験により硬化促進剤ｘの添加量を決定した後、さらにこれに基づいて、硬化促進剤の量を微妙に異ならせた複数のタイプを用意し、二回目の試験を行って、さらに良好な硬化促進剤ｘの添加量を求めるように、要するに、簡易配合試験を繰り返し行って、試験結果を積み重ねて行くことにより、その精度を高め、硬化促進剤ｘの添加量を絞り込んで行くことで、最終的に一番良い硬化促進剤ｘの添加量を求めるようにしても良い。
【００３１】
また、この簡易配合試験にあっては、実際の固結体Ｋの造成とは別に行うようしていたが、初期の施工での固結体Ｋの造成にあっては、時間的に余裕があることから、この初期の施工での固結体Ｋを造成するとき、この固結体Ｋの造成を兼ねて簡易配合試験を行うようにしても良い。
【００３２】
このように硬化促進剤ｘの添加量を、試料採取器で採取した硬化前の固結体Ｋに基づいて施工場所にて実施する簡易配合試験によって決定することにより、この硬化促進剤ｘの添加量の度合いを適正なものにしている。
【００３３】
そして、図７（ｅ）に示すように、管ロッド５の先端に取り付けた試料採取器１０を取り除いて、再び管ロッド５を孔の内部に挿入する。
【００３４】
次に、図７（ｆ）に示すように、管ロッド５を地盤中の固結体Ｋを早期に硬化させようとする箇所である所定深度Ａまで挿入する。
【００３５】
挿入後、図７（ｇ）に示すように、管ロッド５の先端から簡易配合試験によって決定した添加量の硬化促進剤ｘを、地盤中に造成している硬化前の固結体Ｋに噴射しながら、この管ロッド５を徐々に上方に引き抜く。
【００３６】
そして、図７（ｈ）に示すように、簡易配合試験によって決定した添加量の硬化促進剤ｘを、所定深度Ａから地盤表面までの地盤中に造成している硬化前の固結体Ｋに噴射して添加して行く。
【００３７】
このように地盤を切削して行きながら、ここに硬化材ｓａを充填することにより、地盤中に固結体Ｋを造成することで、地震などにより引き起こされる液状化現象を防止するための地盤改良を行うと共に、この地盤中に固結体Ｋを造成する際、簡易配合試験によって決定した添加量の硬化促進剤ｘを、所定深度Ａから地盤表面までの地盤中に造成している硬化前の固結体Ｋに噴射して添加することにより、地盤中の所定深度Ａから地盤表面までに造成される固結体Ｋを確実に早期に硬化させて所望の強度になるようにして、既設構造物を速やかに利用可能にする。これにより、地盤改良の工事を決められた時間内で問題なく行えるようにして、既設構造物である空港における滑走路や誘導路を速やかに利用可能にすることで、これらが使用できなくなるといった極めて重大な事態を招くのをなくすことができる。
【００３８】
また、所定深度Ａから地盤表面までの地盤中に造成している硬化前の固結体Ｋに噴射して添加する硬化促進剤ｘにおいて、試料採取器１０で採取した硬化前の固結体Ｋに基づいて施工場所にて実施する簡易配合試験によって決定することにより、この硬化促進剤ｘの添加量が多すぎたり、また逆に足りなかったりといったことがなく、実際の施工場所に応じた必要最小限となる最適な量にすることで、非常に高価となる硬化促進剤ｘの使用する量を減らして、この硬化促進剤ｘにおける費用を少なくすることができる。これにより、この硬化促進剤ｘの添加量の度合いを適正なものにして、要求品質を満たしつつ経済的に安価に、地盤中に所望の強度を有する固結体Ｋを造成することができる。
【符号の説明】
【００３９】
１…高圧噴射系地盤改良施工機械、２…架台、３…機械本体、５…管ロッド、６…排泥受槽、１０…試料採取器、１１…パイプ、１２…開閉蓋、１３…板フレーム、１４…吊り下げ用ロッド、１５…セメントプラント、１６…超高圧水ポンプ、１７…空気圧縮機、１９…開閉蓋、２１…管ロッド、２２…高圧噴射系地盤改良施工機械、２３…超高圧水ポンプ、２４…空気圧縮機、２５…セメントプラント
【図１】
2010236192.tif 000003
【図２】
2010236192.tif 000004
【図３】
2010236192.tif 000005
【図４】
2010236192.tif 000006
【図５】
2010236192.tif 000007
【図６】
2010236192.tif 000008
【図７】
2010236192.tif 000009
【図８】
2010236192.tif 000010
【図９】
2010236192.tif 000011